(57)【要約】  本発明は、液状または流動性の充填物を保管しかつ搬送するための、多層のプラスチックフィルムから成る薄壁のライナ(２２)が挿入された栓付きドラム（１０）に関する。栓付きドラムにおけるライナの使用を改善すると共に、特に充填者や排出者等のユーザにとって取扱いが容易であり、ライナ（２２）を備えた栓付きドラム（１０）をライナ無しの栓付きドラムと同様に取り扱うことができるようにするために、本発明では、ドラム内壁とライナ表面との間の中間空気スペースの真空化ならびにライナ内部への高温空気吹込みによる熱活性化により、ライナがドラム内壁に付着するもしくは剥離可能に貼り付くことが想定されている。【特許請求の範囲】
【請求項１】
薄肉のプラスチックフィルムから成るライナ（２２）が挿入された、熱可塑性プラスチックから成る栓付きドラム（１０）であって、円筒形のドラム壁（１２）と、ディスク形の下底部（１４）と、ディスク形の上底部（１６）とを有しており、該上底部（１６）には、閉鎖栓により閉鎖可能な２つの同じ大きさの栓接続管片（１８，２０）が配置されており、一方の前記栓接続管片は充填兼排出用栓接続管片（１８）として形成されており、かつ他方の前記栓接続管片は給排気用栓接続管片（２０）として形成されており、前記充填兼排出用栓接続管片（１８）および前記給排気用栓接続管片（２０）内にはそれぞれ、前記ライナ（２２）の対応する充填兼排出用ライナ接続管片（２４）および給排気用ライナ接続管片（２６）が取り付けられており、前記給排気用栓接続管片（２０）のための前記閉鎖栓は、複数部分から形成されておりかつ少なくとも下側のアダプタリング（２８）と上側のキャップナットまたはリングナット（４８）とを有しており、前記アダプタリング（２８）および前記キャップナットまたはリングナット（４８）にはそれぞれ中心貫通開口（５０，６８）が設けられており、さらに、前記アダプタリング（２８）の前記中心貫通開口（６８）内にねじこまれた中心の栓プラグ（６４）を有しており、前記アダプタリング（２８）は、前記ライナ（２２）の前記給排気用栓接続管片（２６）の上端部に固く溶接されておりかつねじ嵌められた前記リングナット（４８）によりフランジリング（４６）を介して、当該栓付きドラム（１０）の前記給排気用栓接続管片（２０）内に固定されている、栓付きドラム（１０）において、
‐２つの栓接続管片（１８，２０）は、規格化された２インチ栓接続管片として、雌ねじ山（ＢＣＳ７０×６閉鎖手段）と、その下に位置するシール台座（３８）とを備えて形成されており、
‐前記充填兼排出用栓接続管片（１８）のための前記閉鎖栓は、市販の規格化された２インチ栓プラグとして、雄ねじ山（ＢＣＳ７０×６閉鎖手段）と、その下に位置する、前記充填兼排出用栓接続管片（１８）に設けられた前記シール台座（３８）に対してシールするシールリングとを備えて形成されており、
‐前記充填兼排出用栓接続管片（１８）は、前記雌ねじ山の下側の、接続管片ネック（４０）において最も狭い貫通箇所に、平滑化された環状面の溶接台内面（４２）を有しており、該溶接台内面（４２）には、前記ライナ（２２）の前記充填兼排出用ライナ接続管片（２４）の上端部が固く溶接されており、
‐前記アダプタリング（２８）の前記中心貫通開口（６８）内にねじ込まれた前記栓プラグは、市販の規格化された３／４インチ栓プラグ（６４）として、雄ねじ山と、その下に位置するシールリング（６６）とを備えて形成されており、
‐ねじ嵌められた前記リングナット（４８）により上方から係合される、前記アダプタリング（２８）の前記フランジリング（４６）は、その下面の外縁に環状のシールリング（６０）を有しており、前記給排気用栓接続管片（２０）に設けられた前記雌ねじ山の下側の前記シール台座（３８）に対してドラム内部をシールしている
ことを特徴とする、栓付きドラム（１０）。
【請求項２】
ねじ嵌められた前記リングナット（４８）は、上方からスナップ嵌めまたは緊締された位置固定キャップ（５２）により被覆されており、該位置固定キャップ（５２）もやはり中心貫通開口（５４）を備えており、この中心貫通開口を通じて、前記アダプタリング（２８）の中心にねじ込まれた３／４インチ栓プラグ（６４）に自由にアクセスすることができるようになっている、請求項１記載の栓付きドラム（１０）。
【請求項３】
前記アダプタフランジリング（４６）の下面の外縁に設けられた環状のシールリング（６０）は、ライナ表面とドラム内壁との間の中間空気スペースを、前記給排気用栓接続管片(２０)内で前記雌ねじ山の下側に配置された前記シール台座（３８）に対してシールしている、請求項１または２記載の栓付きドラム（１０）。
【請求項４】
前記リングナット（４８）が緩められたもしくはねじり出された場合に、前記フランジリング（４６）の下面に前記環状のシールリング（６０）を備える前記アダプタリング（２８）は、固くねじ込まれた中心の前記３／４インチ栓プラグ（６４）と共に、真空ベル状体（７０）を貫通して案内された牽引工具（７４）により上方に向かって持上げ可能に形成されており、前記シールリング（６０）と前記シール台座（３８）との間に環状ギャップ（７６）が形成されると、該環状ギャップ（７６）を通じて、前記真空ベル状体（７０）に接続された真空ポンプにより、ライナ表面とドラム内壁との間の前記中間空気スペースを真空引きすることができるようになっている、請求項１、２または３記載の栓付きドラム（１０）。
【請求項５】
真空引きが行われた後で、前記ライナ表面がほぼ完全にもしくは全面的に前記ドラム内壁に当て付けられると、前記アダプタリング（２８）は、固くねじ込まれた中心の前記３／４インチ栓プラグ（６４）と共に、前記真空ベル状体（７０）を貫通して案内された前記牽引工具（７４）により下方に向かって案内可能に形成されており、かつ前記アダプタフランジリング（４６）の下面の前記環状のシールリング（６０）は、前記給排気用栓接続管片（２０）において前記雌ねじ山の下側に配置された前記シール台座（３８）に固くかつ気密に押付け可能に形成されており、次いで上方から固くねじ嵌められた前記リングナット（４８）により永続的に、気密な位置に固定されている、請求項１、２、３または４記載の栓付きドラム（１０）。
【請求項６】
真空引きが行われた後に、前記ライナ表面がほぼ全面的に前記ドラム内壁の内側表面に当て付けられると、充填側の前記２インチ栓プラグ（４４）がねじ外されかつ排気側の前記３／４インチ栓プラグ（６４）がねじ外された状態で、高温空気がドラム内部、つまり前記ライナ（２２）の内部に、特に前記ドラム壁および前記上底部の上部領域に吹き込まれ、これにより、前記ライナフィルムの熱活性化が生ぜしめられて、前記ライナ（２２）の外側表面が前記ドラム壁の内側表面に接着され易くなる、請求項１、２、３、４または５記載の栓付きドラム（１０）。
【請求項７】
前記ライナ（２２）の内部への高温空気の吹込みは、高められた圧力において改善された接着作用を得るために行われている、請求項６記載の栓付きドラム（１０）。
【請求項８】
‐前記リングナット（４８）が固くねじ込まれている状態において、反対側に位置する前記充填兼排出用栓接続管片（１８）を通じて、自動充填設備において圧力充填管を介して液状の充填物を当該栓付きドラムに充填するためおよび自動排出設備において負圧吸引管を介して液状の充填物を取り出すために‐中心に配置された前記３／４インチ栓プラグ（６４）に、前記中心貫通開口（５４）を備えた前記位置固定キャップ（５２）を介して自由にアクセスすることができるようになっており、かつ前記３／４インチ栓プラグ（６４）は、ねじ締結工具を用いて手で、またはねじ締結自動装置により自動的にねじ外し可能にかつ再ねじ込み可能に形成されている、請求項１から７までの少なくとも１項記載の栓付きドラム（１０）。
【請求項９】
請求項１から８までの少なくとも１項記載の栓付きドラムに挿入するためのライナ（２２）において、
円筒形のライナ壁（３０）と、ディスク形の下底部（３４）と、ディスク形の上底部（３２）とが設けられており、該上底部（３２）には２つのライナ接続管片（２４，２６）が配置されており、一方の前記ライナ接続管片は、他方の前記ライナ接続管片よりも大きな直径を有しておりかつ充填兼排出用接続管片（２４）として用いられ、かつ他方のライナ接続管片（２６）は、当該ライナおよび前記栓付きドラム（１０）における液状の充填物の充填もしくは排出時に給排気用に用いられ、より小さな直径を有する前記ライナ接続管片（２６）の上端部は、アダプタリング（２８）に固く溶接されており、該アダプタリング（２８）は、半径方向に張り出したフランジリング（４６）を有しており、該フランジリング（４６）の下面には環状のシールリング（６０）が配置されているもしくは取り付けられている
ことを特徴とする、ライナ（２２）。
【請求項１０】
前記ライナ接続管片（２４，２６）は内側から、半径方向内向きの溶接フランジ縁部でもって前記ライナ上底部（３２）のライナ壁に溶接されて、内側から外側に向かって折り返され、これにより、存在する全てのフィルム切断縁部が充填物に接触しないように覆われることになり、前記フィルム切断縁部は‐溶接された前記ライナ接続管片（２４，２６）の前記溶接フランジ縁部においても、ライナ壁に形成された貫通開口の内側画定部においても‐充填された液状の充填物と接触することは一切ない、請求項９記載のライナ（２２）。
【請求項１１】
溶接された前記ライナ接続管片（２４，２６）は、前記ライナ壁（３０，３２，３４）と同じ多層のフィルム構造を有している、請求項９または１０記載のライナ（２２）。
【請求項１２】
より大きな直径を有する前記ライナ接続管片（２４）は、前記栓付きドラム（１０）への挿入前は、少なくともその直径の２倍の長さを有しており、その自由端部は溶接されている、または気密に閉じられている、請求項９、１０または１１記載のライナ（２２）。
【請求項１３】
より大きな直径を有する前記ライナ接続管片（２４）は、前記栓付きドラム（１０）への挿入後に適当な長さに切断され、充填兼排出用栓接続管片（１８）の雌ねじ山の直下で、接続管片ネック（４０）に形成された溶接台内面（４２）に、半径方向において溶接されている、請求項９から１２までの少なくとも１項記載のライナ（２２）。
【請求項１４】
請求項９から１３までのいずれか１項記載のライナを備えた、請求項１から８までのいずれか１項記載の栓付きドラムを製造する方法において、以下の方法ステップ、すなわち：
‐７０×６閉鎖手段を備えた２つの２インチ栓接続管片と、７０×６閉鎖手段用の市販の２インチ栓プラグと、７０×６閉鎖手段用の市販の３／４インチ栓プラグとを備えた、市販の規格栓付きドラムを用意し、前記２インチ栓プラグを備えた一方の前記２インチ栓接続管片を、液状の充填物用の充填兼排出用栓として用い、かつ他方の前記２インチ栓接続管片を、ライナの内部の充填容積用およびライナの外側表面とドラム内壁との間の中間空気スペース用の給排気用栓として用いるステップ、
‐異なる大きさの２つのライナ接続管片を備えたライナであって、７０×６閉鎖手段を備えた前記２インチ栓接続管片用に設けられかつ溶接された自由端部を備えてやや長く形成された、より大きなライナ接続管片と、これに対してより短くやや小さなライナ接続管片であって、該ライナ接続管片の端部に、下側のシールリングを備えた中空のスリーブ状のアダプタリングが溶接されているライナ接続管片とを備えたライナを用意するステップ、
‐前記ライナを巻いて、溶接された前記アダプタリングが上部に配置された細長いロールを形成するステップ、
‐前記給排気用栓を介して前記細長いロールを挿入し、中心貫通開口と、前記給排気用栓の前記２インチ栓接続管片における前記７０×６閉鎖手段用の雄ねじ山とを備えるリングナットであって、前記アダプタリングを包囲するリングナットにより前記アダプタリングを固定し、前記アダプタリングが前記下側のシールリングでもって前記２インチ栓接続管片内で、前記ライナの外側表面と前記ドラム内壁との間の前記中間空気スペースをシールするステップ、
‐前記給排気用栓内へ圧縮空気を、前記ライナが完全に膨らまされ、かつ溶接されたより大きな方の前記ライナ接続管片が反対側に位置する前記充填兼排出用栓から姿を見せるまで、吹き込むステップ、
‐より大きな方の前記ライナ接続管片の溶接された自由端部を切り取り、該ライナ接続管片を外側に向かって前記栓付きドラムの前記２インチ栓接続管片に被せるように折り返すステップ、
‐前記２インチ栓接続管片の前記雌ねじ山の下側で前記ライナ接続管片を半径方向において溶接し、かつ前記雌ねじ山の下側の溶接環状面の上側の余分なかつ／または突出したライナ接続管片を正確に適合するように切り取るステップ、
‐前記給排気用栓に真空ベル状体を被せ嵌め、前記リングナットが緩められ前記アダプタリングが持ち上がった状態で、前記真空ベル状体に接続された負圧ポンプにより、前記ライナの外側表面と前記ドラム内壁との間の前記中間空気スペースから全ての空気を吸い出し、前記ライナの外側表面が前記ドラム内壁に全面的に当て付けられるまで真空引きするステップ、
‐前記リングナットを締め付けて、前記２インチ栓接続管片内で前記アダプタリングを下側の前記シールリングと共に押し付けることにより、前記ライナと前記ドラム内壁との間の真空を永続的に維持するステップ、
‐前記充填兼排出用栓の前記２インチ栓接続管片内に前記２インチ栓プラグをねじ込み、かつ雌ねじ山を備えたスリーブ状の前記アダプタリング内に前記３／４インチ栓プラグをねじ込むステップ
を特徴とする、方法。
【請求項１５】
真空の損失を伴う前記リングナットの不慮の緩みまたはねじり出しを防ぐために、前記２インチ栓接続管片には、保護被覆するための、中心貫通開口を備えた位置固定キャップが被せ嵌められる、請求項１４記載の方法。
【請求項１６】
前記給排気用栓接続管片（２０）を介して真空引きする間に、反対側に位置する前記充填兼排出用栓接続管片（１８）を介して圧縮空気が前記ライナの内部へ吹き込まれ、これにより、前記ライナのライナフィルムが前記栓付きドラムの内壁に全面的に押し当てられると共に、全ての中間スペース空気が押し出される、請求項１４記載の方法。
【請求項１７】
吹き込まれる前記圧縮空気は、高温空気であって、ライナフィルムを熱活性化させるために吹き込まれ、その結果、前記ライナフィルムの外面は接着作用を発揮して、前記栓付きドラムの内壁に付着しかつ／または再剥離可能に貼り付くことになる、請求項１４、１５または１６記載の方法。
【請求項１８】
前記ドラム内部から前記ライナを取り出すために、前記リングナットが緩められて前記アダプタリングが持ち上がった状態で、前記アダプタシールリングと前記栓接続管片シール台座との間の環状ギャップを通して、ライナ表面とドラム内壁との間の前記中間空気スペース内に圧縮空気が吹き込まれ、これにより、前記ドラム内壁に付着しかつ／または貼り付いている前記ライナ表面が剥離する、請求項１４、１５、１６または１７記載の方法。
【請求項１９】
前記充填兼排出用栓接続管片を通して前記ライナの内部で、該ライナが前記ドラム内壁から完全に剥離されるまで真空引きが行われる、請求項１４から１８までのいずれか１項記載の方法。
【請求項２０】
前記充填兼排出用栓接続管片に溶接された前記ライナ接続管片は、まず前記溶接環状面の直下で切り取られ、前記栓接続管片から少しだけ引き出されて密閉され、その後、前記ライナ全体が前記アダプタリングと共に、反対側に位置する前記給排気用栓を通してドラム内部から引き出される、請求項１４から１９までのいずれか１項記載の方法。
【発明の詳細な説明】
【技術分野】
【０００１】
本発明は、充填兼排出用接続管片と給気接続管片とを備えたフレキシブルなライナが挿入された、特に危険な液状または流動性の充填物を保管しかつ搬送するための栓付きドラムに関する。
【０００２】
ライナが装備された栓付きドラムの場合、液状の充填物はドラム内部と接触することはなく、ライナ内部にのみ接触する。使用済みの、大抵は高価な栓付きドラムを再利用するためには単に、使用された比較的廉価なライナもしくはフィルムバッグの交換が必要とされているに過ぎない。
【０００３】
本発明は、好適には特定のプラスチック栓付きドラムに関するものであるが、基本的には例えばドラム蓋に２つの栓を備えた蓋付きドラム、側方取っ手を備えたファセット（Fassetts:商標名）または上部取っ手を備えたキャニスタ等の、別のプラスチック容器にも適用され得る。
【０００４】
薄肉のプラスチックフィルムから成るライナが挿入された、熱可塑性プラスチックから成る栓付きドラムは、円筒形のドラム壁と、ディスク形の下底部と、ディスク形の上底部とを有しており、上底部には、閉鎖栓により閉鎖可能な２つの同じ大きさの栓接続管片が配置されており、一方の栓接続管片は充填兼排出用栓接続管片として形成されており、かつ他方の栓接続管片は給排気用栓接続管片として形成されており、充填兼排出用栓接続管片および給排気用栓接続管片内にはそれぞれ、ライナの対応する充填兼排出用ライナ接続管片および給排気用ライナ接続管片が取り付けられている。この場合、給排気用栓接続管片のための閉鎖栓は少なくとも、アダプタリング、アダプタリングを包囲するかもしくは覆うように係合し、それぞれが中心貫通開口を備えたキャップナットまたはリングナット、およびさらに、アダプタリングの中心貫通開口内にねじ込まれた中心栓プラグを備えて複数部分から形成されている。アダプタリングは、ライナの給排気用栓接続管片の上端部に固く溶接されておりかつねじ嵌められたリングナットによりフランジリングを介して、栓付きドラムの給排気用栓接続管片内に固定されている。
【０００５】
問題点：
種々様々な液状の充填物に関して包装材を選択する際に、例えば多層のライナが挿入された栓付きドラムの場合には、各充填物に必要とされるライナの遮断特性を選択する必要がある。敏感な液状の充填物は、例えば拡散する酸素により影響を及ぼされて損傷される恐れがある。しかしながら、遮断特性を有する多層のライナは比較的高価であると共に、極小さな衝撃・引裂強さしか有しておらず、液体容器の搬送時に往復して打ち寄せる充填物により常時発生しかつ液状の充填物柱の上側の空気スペース内でライナ接続管片にのみ懸吊されたライナフィルムを常時動かすような、持続する動的な交番荷重により、屈曲折畳み箇所のところが容易に不密になるか、または特にライナ接続管片の領域において裂断する恐れがある。
【０００６】
背景技術：
充填物と容器内壁との接触を回避するためのプラスチックライナが挿入された容器自体は周知である。刊行物である米国特許第４９９３５７９号明細書（US 4993579A）に開示された容器は、主として剛性の包囲体と、弾性的な気泡の形態のライナとから成り、気泡は充填時に外装パッケージの容積を満たすことができる。容器を空にする際に気泡が排出開口の手前に移動して排出を妨げることを防止するために、気泡は開口から遠ざけられた点において包囲体に固定されている。充填に際して弾性的な気泡は、容器内部を十分に満たすことができる。容器外壁に対する気泡の近さは、安定性を向上させる。このような構造は、典型的には充填時に容器外壁に対して十分に当て付けられるほど弾性的ではない、遮断特性を備えた多層フィルムには適さない。
【０００７】
国際公開第９４２６６０３号（WO 94/26603 A1）に記載された、栓付きドラムとライナの組合せでは、少なくとも８０ｍｍの追加的な取付け開口が必要とされている。よってこれは、既存の充填設備やポンプによる排出設備に簡単に使用され得る規格容器ではない。規格に対応していない追加的な開口は、コストの増大をもたらす。さらに、追加的な開口により外装パッケージのさらなる潜在的な不密性が実現されている。ここでは、ライナはドラム内壁に固定されてはいない。つまりこの場合も、遮断特性を備えた多層ライナを使用した場合には、一方では動的な交番荷重に基づきかつ他方ではこのライナの小さな衝撃・引張強さに基づき、屈曲折畳み箇所における不密性もしくはライナ接続管片の領域における裂断の危険が生じる恐れがある。
【０００８】
最後に刊行物である米国特許第５２１７１３８号明細書（US 5217138）からは、上底部に充填兼排出用栓接続管片と給排気栓接続管片とを備えた栓付きドラム内での、薄いプラスチックフィルムから成る円筒形のライナの使用が公知である。この場合は、栓付きドラムの各栓接続管片内の２つのライナ接続管片に関する。一方のライナ接続管片は、溶接された環状スリーブもしくはアダプタリングを備えており、環状スリーブもしくはアダプタリングは、ドラムの給排気用栓接続管片内に上方から挿入されて固定される。この栓接続管片を通して、巻かれたライナもドラム内部へ入れねばならない。ライナを挿入した後で、線材等を用いて第２のライナ接続管片を反対側のドラム栓接続管片を通して引き出し、ドラム栓接続管片に緊締して取り付けることができるようになるまで、ドラムは往復して転がされざるを得ない。その後、ライナはドラムに設けられた両ライナ栓接続管片に柔軟に懸吊された状態になる。ライナとドラム内壁との間の中間空気スペースは、ライナ挿入後は排気不能になるが、ただし、ドラム本体がいずれかの箇所に別の閉鎖可能な栓接続管片もしくは別の閉鎖可能なドラム開口を有している場合は別である。充填兼排出用栓接続管片を介して栓付きドラムに充填する場合、反対の側に位置する給排気用栓接続管片においては、環状スリーブ内の中心に配置されたより小型の栓プラグがねじ外されてよく、これにより、充填物により押し退けられる空気をライナ内部から抜くことができる。中間スペース空気を抜くためには、ドラム充填部のところに、迅速な排気を保証する別の別個の排気開口が設けられている必要があり、さもなければ、予定された充填物量が十分迅速にドラムに流入することができないため、自動充填設備の場合にはドラムが溢れることが発生し易くなる恐れがある。
【０００９】
課題：
本発明の根底を成す課題は、指摘した従来技術の欠点を解消すると共に、既存の規格栓付きドラムに交換可能なライナを装備して、特に充填者や排出者等の使用者もしくはユーザが取扱い時に、ライナ無しの同じ規格栓付きドラムと比べて違いや欠点を一切認めることがなく、かつライナを装備した栓付きドラムが何らかの補助手段無しで、既存の充填設備およびポンプによる排出設備に使用され得るようにすることにある。
【００１０】
解決手段：
この課題は、特許請求項１記載の特別な特徴により解決される。下位請求項に記載の各特徴は、本発明による、ライナを備えた栓付きドラムの別の有利な構成の可能性を表している。
【００１１】
提案する技術的な教示自体は、ライナを備えた周知の栓付きドラムの欠点の克服の仕方、およびライナを装備したドラムの取扱いが充填者および排出者にとって規格ドラムの取扱いと何ら相違しない、ということを簡単に伝えるものである。
【００１２】
このことは構造的に、以下の各特徴、すなわち：
‐２つの栓接続管片は、規格化された２インチ栓接続管片として、雌ねじ山（ＢＣＳ７０×６閉鎖手段）と、その下に位置するシール台座とを備えて形成されており、
‐充填兼排出用栓接続管片のための閉鎖栓は、市販の規格化された２インチ栓プラグとして、雄ねじ山（ＢＣＳ７０×６閉鎖手段）と、その下に位置する、充填兼排出用栓接続管片に設けられたシール台座に対してシールするシールリングとを備えて形成されており、
‐充填兼排気用栓接続管片は、雌ねじ山の下側の、接続管片ネックにおいて最も狭い貫通箇所に、平滑化された環状面の溶接台内面を有しており、溶接台内面には、ライナの充填兼排出用ライナ接続管片の上端部が固く溶接されており、
‐アダプタリングの中心貫通開口内にねじ込まれた栓プラグは、市販の規格化された３／４インチ栓プラグとして、雄ねじ山と、その下に位置するシールリングとを備えて形成されており、
‐ねじ嵌められたリングナットにより上方から係合される、アダプタリングのフランジリングは、その下面の外縁に環状のシールリングを有しており、給排気用栓接続管片に設けられた雌ねじ山の下側のシール台座に対してドラム内部をシールしている
ことにより、達成される。
【００１３】
本発明の構成では、ねじ嵌められたリングナットは、上方からスナップ嵌めまたは緊締された位置固定キャップにより被覆されており、位置固定キャップもやはり中心貫通開口を備えており、この中心貫通開口を通じて、アダプタリングの中心にねじ込まれた３／４インチ栓プラグに自由にアクセスすることができるようになっている、ということが想定されている。
【００１４】
本発明のこの構造上の構成は、リングナットが緩められたもしくはねじり出された場合に、フランジリングの下面に環状のシールリングを備えるアダプタリングが、固くねじ込まれた中心の３／４インチ栓プラグと共に、真空ベル状体を貫通して案内され係合する牽引工具により、やや上方に向かって持上げ可能に形成されており、シールリングとシール台座との間に環状ギャップが形成されると、環状ギャップを通じて、真空ベル状体に接続された真空ポンプにより、ライナ表面とドラム内壁との間の中間空気スペース内で真空引きすることができるようになっている、ということを想定している。
【００１５】
本発明による栓付きドラムはさらに、真空引きが行われた後で、ライナ表面がほぼ完全にもしくは全面的にドラム内壁に当て付けられると、アダプタリングは、固くねじ込まれた中心の３／４インチ栓プラグと共に、真空ベル状体を貫通して案内された牽引工具により下方に向かって案内可能に形成されており、かつアダプタのフランジリングの下面の環状のシールリングは、給排気用栓接続管片において雌ねじ山の下側に配置されたシール台座に固くかつ気密に押付け可能に形成されており、次いで上方から固くねじ嵌められたリングナットにより永続的に、気密な位置に固定されている、という点において優れている。
【００１６】
ライナとドラム内壁との間の中間空気スペース内の持続的な真空により、ライナフィルムは、液体容器の搬送時に充填物が往復して打ち寄せることにより常時発生するような動的な交番荷重が比較的長く続いても、「吸い付けられた」ようにドラム内壁に接触し続け、液状の充填物柱の上側の空気スペース内にライナフィルムの折畳みや動きが生じることは一切ない。ライナフィルムが不密になることまたは裂断することは、最早生じない。ドラム内壁におけるライナフィルムの真空固定により、ライナは「第２の外被」のように全面的にドラム内壁に着座することになり、これにより有利には、比較的小さな引裂き強さを有する廉価なライナフィルム材料の使用も可能になる。
【００１７】
本発明の別の構成では、真空引きが行われた後に、ライナ表面がほぼ全面的にドラム内壁の内側表面に当て付けられると、充填側の２インチ栓プラグがねじ外されかつ排気側の３／４インチ栓プラグがねじ外された状態で、例えば場合により相応に湾曲されたブロー管を介して高温空気がドラム内部もしくはライナの内部に、特にドラム壁および上底部の上部領域に吹き込まれ、これにより、ライナフィルムの熱活性化が生ぜしめられて、ライナの外側表面がドラム壁の内側表面に接着され易くなる、ということが想定されている。この場合、有利には、ライナ内部への高温空気の吹込みは、高められた圧力において改善された接着作用を得るために行われる。
【００１８】
充填者および排出者にとって、本発明によるライナを備えた栓付きドラムの取扱いと、ライナ無しの同じ栓付きドラムの取扱いとに相違が生じないようにするために、本発明では‐リングナットが固くねじ込まれている状態において、反対側に位置する充填兼排出用栓接続管片を通じて、自動充填設備において圧力充填管を介して液状の充填物を栓付きドラムに充填するためおよび自動排出設備において負圧吸引管を介して液状の充填物を取り出すために‐中心に配置された３／４インチ栓プラグに、中心貫通開口を備えた位置固定キャップを介して自由にアクセスすることができるようになっており、かつ３／４インチ栓プラグは、ねじ締結工具を用いて手で、またはねじ締結自動装置により自動的にねじ外し可能にかつ再ねじ込み可能に形成されている、ということが想定されており、これにより特に、押し付けているリングナットの、真空の損失を伴う不慮の緩みも防止されるようになっている。
【００１９】
ライナの１つの有利な特徴は、ライナ接続管片が内側から、半径方向内向きの溶接フランジ縁部でもってライナ上底部のライナ壁に溶接されて、内側から外側に向かって折り返され、これにより、存在する全てのフィルム切断縁部が充填物に接触しないように覆われることになり、フィルム切断縁部は、溶接されたライナ接続管片の溶接フランジ縁部においても、ライナ壁に形成された貫通開口の内側画定部においても、充填された液状の充填物と接触することは一切ない、という点にある。これにより、溶剤を含有する充填物がいずれかのフィルム切断縁部と接触し、遮断層間に注入された接着剤状の付着仲介層を侵して溶解させ、その結果、特に多層のライナが装備された栓付きドラムの搬送が比較的長時間続いた場合に、遮断特性を損なうフィルム層の不都合な剥離および後続の充填物損傷が生じる恐れは一切ない、ということが保証されている。
【００２０】
本発明による、ライナを備えた栓付きドラムを製造する方法は、以下の方法ステップ、すなわち：
‐７０×６閉鎖手段を備えた２つの２インチ栓接続管片と、７０×６閉鎖手段用の市販の２インチ栓プラグと、７０×６閉鎖手段用の市販の３／４インチ栓プラグとを備えた、市販の規格栓付きドラムを用意し、２インチ栓プラグを備えた一方の２インチ栓接続管片を、液状の充填物用の充填兼排出用栓として用い、かつ他方の２インチ栓接続管片を、ライナ内部の充填容積用およびライナ外側表面とドラム内壁との間の中間空気スペース用の給排気用栓として用いるステップ、
‐異なる大きさの２つのライナ接続管片を備えたライナであって、７０×６閉鎖手段を備えた２インチ栓接続管片用に設けられかつ溶接された自由端部を備えてやや長く形成された、より大きなライナ接続管片と、これに対してより短くやや小さなライナ接続管片であって、該ライナ接続管片の端部に、下側のシールリングを備えた中空のスリーブ状のアダプタリングが溶接されているライナ接続管片とを備えたライナを用意するステップ、
‐ライナを巻いて、溶接されたアダプタリングが上部に配置された細長いロールを形成するステップ、
‐給排気用栓を介して細長いロールを挿入し、中心貫通開口と、給排気用栓の２インチ栓接続管片における７０×６閉鎖手段用の雄ねじ山とを備えるリングナットであって、アダプタリングを包囲するリングナットによりアダプタリングを固定し、アダプタリングが下側のシールリングでもって２インチ栓接続管片内で、ライナの外側表面とドラム内壁との間の中間空気スペースをシールするステップ、
‐給排気用栓内へ圧縮空気を、ライナが完全に膨らまされ、かつ溶接されたより大きな方のライナ接続管片が反対側に位置する充填兼排出用栓から姿を見せるまで、吹き込むステップ、
‐より大きな方のライナ接続管片の溶接された自由端部を切り取り、該ライナ接続管片を外側に向かって栓付きドラムの２インチ栓接続管片に被せるように折り返すステップ、
‐２インチ栓接続管片の雌ねじ山の下側でライナ接続管片を半径方向において溶接し、かつ雌ねじ山の下側の溶接環状面の上側の余分なもしくは突出したライナ接続管片を正確に適合するように切り取るステップ、
‐給排気用栓に真空ベル状体を被せ嵌め、リングナットが緩められアダプタリングが持ち上がった状態で、真空ベル状体に接続された負圧ポンプにより、ライナの外側表面とドラム内壁との間の中間空気スペースから全ての空気を吸い出し、ライナの外側表面がドラム内壁に全面的に当て付けられるまで真空引きするステップ、
‐リングナットを締め付けて、２インチ栓接続管片内でアダプタリングを下側のシールリングと共に押し付けることにより、ライナとドラム内壁との間の真空を永続的に維持するステップ、
‐充填兼排出用栓の２インチ栓接続管片内に２インチ栓プラグをねじ込み、かつ雌ねじ山を備えたスリーブ状のアダプタリング内に３／４インチ栓プラグをねじ込むステップ
に基づき、優れている。
【００２１】
真空の損失を伴うリングナットの不慮の緩みまたはねじり出しを確実に防ぐために、２インチ栓接続管片には、中心の３／４栓プラグに対する自由なアクセスを許可する中心貫通開口を備えた、位置固定キャップが被せ嵌められる。
【００２２】
上記各方法ステップに基づく当該方法の有利な態様では、給排気用栓接続管片を介して真空引きする間に、反対側に位置する充填兼排出用栓接続管片を介して圧縮空気がライナ内部へ吹き込まれ、これによりライナのライナフィルムが‐特に埋没した栓ハウジングの周りの上底部領域において‐栓付きドラムの内壁に全面的に押し当てられると共に、全ての中間スペース空気が押し出される、ということが想定されている。この場合、吹き込まれる圧縮空気は、高温空気であって、ライナフィルムを熱活性化させるために吹き込まれ、その結果、ライナフィルムの外面は接着作用を発揮して、栓付きドラムの内壁に付着するもしくは再剥離可能に貼り付くことになる。
【００２３】
ライナを備えた使用済みの栓付きドラムの再利用に関して、再調整工場にとって極めて有利なのは、ドラム内部からライナを取り出すために、リングナットが緩められてアダプタリングが持ち上がった状態で、アダプタのシールリングと栓接続管片のシール台座との間の環状ギャップを通して、例えば被せ嵌められた圧縮空気ベル状体および接続された圧縮空気導管を介してライナ表面とドラム内壁との間の中間空気スペース内に圧縮空気が吹き込まれ、これにより、ドラム内壁に付着しているもしくは貼り付いているライナ表面を剥離する場合である。この場合、有利には充填兼排出用栓接続管片を通して、例えば被せ嵌められた真空ベル状体を介してライナ内部で、ライナがドラム内壁から完全に剥離されるまで真空引きが行われる。
【００２４】
次いでまず、充填兼排出用栓接続管片に溶接されたライナ接続管片が、溶接環状面の直下で切り取られ、栓接続管片から少しだけ引き出されて例えば溶接により密閉され、これにより、ドラム内部の汚染が回避される。その後、ライナ全体がアダプタリングと共に、反対側に位置する給排気用栓を通してドラム内部から引き出される。より大きな方のライナ接続管片を半径方向において溶接するために充填兼排出用栓内の溶接環状面を補修した後で直ぐに、新規のライナを挿入して固定することができる。
【００２５】
例えばパレットコンテナ、栓付きドラムおよびキャニスタ等の、液体搬送用に使用された容器は、資格を有する再調整工場で専門家により再利用するために処理され、この処理には特に、新規のライナの洗浄、テスト、品質管理ならびに挿入も含まれる。
【００２６】
栓付きドラムにおいて、ライナのフレキシブルで薄壁の充填兼排出用接続管片が、安定したプラスチック栓付きドラム接続管片の安定した充填兼排出用接続管片内に固く溶接されていると、栓付きドラム内でのライナのこの固定部は、顧客およびユーザ、つまり液状の充填物の充填者および排出者にとって最も簡単に取り扱うことができるようになる。それというのも、ねじキャップ、栓接続管片、排出部品または攪拌工具のねじ嵌めまたはねじ外し時に、従来、剛性の容器接続管片に対する折返しおよび緊締によるライナ接続管片の一般的な取付けにおいて頻繁に生じているような、ライナのフレキシブルな充填兼排出用接続管片の、皺形成および不密性を伴うねじれが一切生じる恐れはないからである。ドラム内部もしくはライナ内部に給気するためには、従来慣例のように、反対側に位置する排気用栓において中心に配置された３／４インチ栓プラグだけが（アダプタリングから）ねじ外されればよい。
【図面の簡単な説明】
【００２７】
以下に、本発明を図面に概略的に示した実施例に基づき、より詳しく説明する。
【図１】ライナが挿入された、本発明による栓付きドラムを示す斜視図である。
【図２】図１に示した栓付きドラム用の、挿入されるライナを示す側面図である。
【図３】栓付きドラムに挿入する前の、巻かれたライナを示す側面図である。
【図４】２インチ栓接続管片および溶接されたライナ接続管片を備えたプラスチック栓付きドラムの上部領域の周りを示す部分断面図である。
【図５】給排気用栓接続管片を、ねじ外された３／４インチ栓プラグと共に示す部分断面図である。
【図６】真空ベル状体が被せ嵌められた、給排気用栓接続管片の領域の周りを示す、別の部分断面図である。
【００２８】
図１には、好適な実施例として符号１０で、熱可塑性プラスチックから成る栓付きドラムが示されており、この栓付きドラムには、薄肉のプラスチックフィルムから成る、挿入されたライナ２２が装備されている。説明したように、本発明はキャニスタ、ファセット、栓付き蓋を備えた蓋付きドラムまたはパレットコンテナ等の別のプラスチック容器にも同様に適用され得る。
【００２９】
危険な充填物の投入もしくは使用に関して、栓付きドラム１０は特別な試験基準を満たしており、相応する公的な許認可を与えられている。栓付きドラム１０は、最も多く用いられる２２０ｌ（リットル）の容積サイズにおいて、特に化学製品や食品に適している。栓付きドラム１０の主構成部材は、円筒形のドラム壁１２、ディスク形の下底部１４およびディスク形の上底部１６であり、上底部１６内には閉鎖栓により閉鎖可能な栓接続管片１８，２０が配置されている。このような栓付きドラムは、約９３５ｍｍの高さおよび約５８１ｍｍの直径を有しており、好適にはブロー成形法で製造されており、一般にＨＤＰＥプラスチック材料から成っている。ドラム重量は、約８．２ｋｇである。最新のドラムは３層から成っており、この場合、薄い外層（２０％）のみが青く着色されており、薄い高純度の内層（２０％）は新素材から成っている一方で、中間の支持層（６０％）は再粒状化物、すなわち使用済みのプラスチック材料から再生されたプラスチック材料から成っている。
【００３０】
本発明による栓付きドラム１０では、一方の栓接続管片が充填兼排出用栓接続管片１８として形成されており、かつ他方の栓接続管片は給排気用栓接続管片２０として形成されている。両栓接続管片は、ＢＣＳ７０×６ねじ締結部を備えた２インチ栓接続管片として形成されている。
【００３１】
これらのドラム用栓接続管片には、ライナ２２の、相応に対応配置された充填兼排出用接続管片２４および給排気用接続管片２６が取り付けられている。
【００３２】
図２には、ライナ２２が側面図で示されている。ライナ２２の形状は、ドラムの内壁に適合されており、円筒形のライナ壁３０、ディスク形のライナ上底部３２およびディスク形のライナ下底部３４から成っている。ライナ２２の上底部３２における相応の位置には、栓付きドラム１０の栓接続管片１８に対応する、直径をやや大きくかつやや長く形成されたライナ接続管片２４が配置されており、反対の側には、栓付きドラム１０の給排気用栓接続管片２０に対応する、やや小さくかつやや短いライナ接続管片２６が配置されている。短い方のライナ接続管片２６にはアダプタリング２８が溶接されており、アダプタリング２８は、給排気用栓接続管片２０内に挿入される。
【００３３】
この場合、フレキシブルなライナ接続管片２４，２６は、フレキシブルなライナ２２のフィルム材料と同じ遮断特性を有する同じフィルム材料から製造されており、これにより、プラスチック材料に浸透する不都合な拡散作用を阻止することができる。
【００３４】
ライナフィルムのフィルム構造が多層で非対称的な層配置の場合には、ライナ壁にライナ接続管片の溶接フランジ縁部を環状に溶接する際に、それぞれ同じフィルム材料もしくは同じ外側のフィルム層が互いに溶接されていることが重要である。
【００３５】
ライナ２２は２２０ｌの充填容量に対し、約９３０ｍｍの高さおよび約５８０ｍｍの直径を有している。小さい方のライナ接続管片２６の直径は約２５ｍｍであり、より大きくかつより長く形成されたライナ接続管片２４の直径は約５８ｍｍである。ライナはその薄壁に基づき、それ自体は形状安定的ではなく極めてフレキシブルであり、可撓性および適合性を有している。多層のライナ複合フィルムの壁厚さは、約１００μｍ〜３００μｍ、好適には約１５０μｍである。約１００〜１５０ｇ／ｍ２の単位面積当たり重量では、２２０ｌのライナバッグ１つにつき、約０．１５〜０．３ｋｇの材料重量が生じる。この場合、極薄い複合層は、間に配置された付着剤から成る層を備えた、例えばＨＤＰＥ／ＬＤＰＥ／ＥＶＯＨ／ＰＥＴ／ＰＡ／ＰＰまたはＳｉＯｘ等の、複数の異なる材料から成っていてよく、かつ／またはグラスファイバ補強部または織布補強部を備えていてよい。用途に応じて、複合フィルムには例えば炭化水素拡散、酸素拡散、芳香族物質拡散または水蒸気拡散に対する遮断層が装備されており、場合によっては無菌性の抗菌コーティングまたは蒸着された銀含有またはアルミニウム含有金属フィルムが設けられている。
【００３６】
構造的には、ライナ接続管片２４，２６は、半径方向内向きの溶接フランジ縁部でもって内側からライナ上底部３２の内壁に溶接されており、その後、内側から外側に向かって折り返され、これにより、存在する全てのフィルム切断縁部が充填物に接触しないように覆われることになる。フィルム切断縁部は、溶接されたライナ接続管片２４，２６の溶接フランジ縁部においても、ライナ壁に形成された貫通開口の内側画定部においても、充填された液状の充填物と接触することは一切ない。これにより、栓付きドラムの搬送時間および保管時間が長い場合でも完全な遮断特性が完璧に保たれ、拡散に起因する、敏感な充填物の損傷が回避される。
【００３７】
特別なライナを実現するためにはいずれにしろ、ライナ上底部の内壁に対する両者の溶接フランジ縁部の環状の溶接が、製造技術的に、閉じられたライナ本体用に多層のライナフィルムの切断部分を完全に最終的に溶接する前に行われていることが重要であり、さもなければ最早、フィルム接続管片を内側からライナ上底部の内壁に溶接することはできない。
【００３８】
フレキシブルで薄肉の多層フィルムから成るライナ２２をドラム内部に入れることができるようにするために、ライナ２２は図３に認められるように巻かれ、細長い棒状のロール３６を形成する。この場合、アダプタリング２８が溶接された、小さい方のライナ接続管片２６の上端部が突出しているのに対して、大きな方のライナ接続管片２４は巻き込まれており、ここでは見えなくなっている。ライナの素材に関する重要な特徴として、より大きな直径を有するライナ接続管片２４は、栓付きドラム１０への挿入前は、少なくともその直径の２倍の長さを有しており、その自由端部は溶接されているもしくは気密に閉じられている。
【００３９】
ライナロール３６は、栓付きドラム１０の給排気用栓接続管片２０を通して案内され、アダプタリング２８は、以下でより詳しく説明するように、栓接続管片２０内に取り付けられる。アダプタリング２８が給排気用栓接続管片２０内に取りつけられた後で、中空のアダプタリング２８を介して小さい方のライナ接続管片２６から圧縮空気が低速でライナ内へ吹き込まれ、これによりライナは広がり、反対側に位置する、これから溶接されるべき大きな方のライナ接続管片２４が下側から空気圧によりひとりでに、栓付きドラム１０の相応する充填兼排出用栓接続管片１８から姿を見せるまで、完全に膨張させられることになる。
【００４０】
図４には、ＢＣＳ７０×６規格閉鎖手段用の充填兼排出用栓接続管片１８を備えた、栓付きドラム１０の上部領域が示されている。２インチ栓接続管片１８は‐および同様に形成された栓接続管片２０も‐並目ねじ山として設計された雌ねじ山を有している。雌ねじ山の直下には、２インチ栓プラグ４４に装着されているシールリング用の、直径が狭められたシール台座３８が位置している。充填兼排出用栓接続管片１８は雌ねじ山の下側に、溶接されるべき２インチライナ接続管片２４用の溶接台面としての環状の内面４２を備えた、直径を減じられた接続管片ネック４０を有している。接続管片ネック４０における環状の内面４２は、溶接台面として平滑化されて形成されている。内面４２の補修のために行われる平滑化は、例えばホーニング工具、リーマまたはピーリングナイフを用いて、有利にはドラムを頭上に位置決めして行われ、この場合、落下する剥離したプラスチック粒子は下方に向かって吸い取られ、場合によっては同時に他方の栓接続管片２０を介して圧縮空気がドラム本体内に吹き込まれるので、いずれにしろ、剥離したプラスチック粒子がドラム本体内に侵入する恐れは排除されている。
【００４１】
ライナ２２を栓付きドラム１０内に挿入して膨らまされると、これから溶接されるべきライナ接続管片２４が栓接続管片１８から姿を見せ、ライナ接続管片２４は引っ張られて上部を切開され、かつ栓接続管片１８の上に被せられる。次いでライナ接続管片２４は膨張溶接法により、環状の内面４２（溶接台面）に対して半径方向に固く溶接されると共に、正確に適合するように切断され、その結果、市販の２インチ栓プラグ４４がねじ込まれると共に、そのシールリングを用いて、雌ねじ山の下端部に配置されたシール台座３８もしくは溶接台面の直上のシール対応受けに対してシールすることができるようになる。溶接台面の補修以外に、規格栓付きドラム１０において別の対策または適合は一切行われない。本発明によるライナを備えたユーザフレンドリーな栓付きドラムの有利な取扱いは、主として給排気用栓接続管片２０用のインサートの特別な構造的な構成および機能形式に基づき実現される。
【００４２】
図５に示すように、２インチ給排気用栓接続管片２０のための閉鎖インサートは、少なくとも３つの部分から成っている。これらは、ほぼ中間に配置され半径方向に張り出した外側のフランジリング４６を備えた、内部が中空のアダプタリング２８、フランジリング４６の上側のスリーブ状のアダプタリング２８を包囲する、雄ねじ山と中心貫通開口５０とを備えたリングナット４８および給排気用栓接続管片２０の上部の外側に上から被さる、中心貫通開口５４を備えた位置固定キャップ５２である。
【００４３】
中空のスリーブ状のアダプタリング２８は、その貫通開口の上部領域に、雌ねじ山５６を備えている。並目ねじ山として設計された雌ねじ山５６は、下端部に、直径が減じられたシール台座５８を備えている。
【００４４】
アダプタリング２８のフランジリング４６の下面外側には、好適には矩形の平形シールとして形成された環状のシールリング６０が配置されており、シールリング６０は栓接続管片２０の内側において‐反対の側に位置する栓接続管片１８の場合と同様に‐直径が縮小された接続管片ネックの上側の雌ねじ山の下端部に形成されたシール台座に当接してシールしている。アダプタリング２８のフランジリング４６の上面は、アダプタリング２８の上部領域を包囲するリングナット４８により上から荷重を加えられ、リングナット４８の、並目ねじ山として設計された雄ねじ山６２は、栓接続管片２０の雌ねじ山に係合し、かつアダプタフランジリング４６のシールリング６０を、栓接続管片２０の雌ねじ山の下端部に形成されたシール台座３８に押し付けている。フランジリング４６の下側では、ホース状のライナ接続管片２６が半径方向外側から、環状スリーブ状のアダプタリング２８に溶接されている。
【００４５】
アダプタリング２８の、並目ねじ山として設計された雌ねじ山５６内には、上からより小型の３／４インチ栓プラグ６４がねじ込み可能であり、３／４インチ栓プラグ６４はそのシールリング６６でもって、雌ねじ山５６の、直径が減じられたシール台座５８をシールする。
【００４６】
ライナ２２がドラム本体内に挿入され、両方のライナ栓がドラムの栓接続管片内に取り付けられると、リングナット４８が固く締め付けられるため、シールリング６０は栓接続管片２０に設けられたシール台座に気密に押し付けられることになり、ライナとドラム内壁との間の中間空気スペースは、完全に気密に閉じられた状態になる。その後で、中心貫通開口５４を備えた位置固定キャップ５２が給排気用栓接続管片２０に上から被せ嵌められ、その際に給排気用栓接続管片２０は、その上部領域の外側を包囲される。位置固定キャップ５２は、好適には薄壁のプラスチックキャップとして、解離可能または解離不能なスナップ係止閉鎖手段を備えて形成されており、アダプタリング２８の固定用のリングナット４８が不本意にまたは不適切に外れないように保護し、かつ栓付きドラムの充填および排出時に開かれていなければならない３／４インチ給気栓３８×６に対する唯一のアクセスを許可するために用いられる。
【００４７】
１つの別の実施形態では、位置固定キャップ５２は、中心貫通開口５４を備えた、解離不能に折り曲げられた薄い金属薄板蓋として形成されており、この金属薄板蓋は追加的に、解離可能なスナップ係止閉鎖手段を備えた薄壁の塞がれたプラスチック保護キャップもしくはプラスチック封止キャップにより覆われている。この場合、追加的な封止キャップは、汚れおよび雨水に対する防護手段として設けられておりかつ３／４インチ栓プラグ６４をねじ外すために容易に取り外すことができるようになっている一方で、解離不能に被せ嵌められた、貫通開口を備えた金属薄板蓋は、如何なる場合にもリングナット４８の不慮のまたは不正なねじ外しを防ぎ、リサイクル工場において適当な工具を用いてのみ、取り外すことができるようになっている。つまり、このような構成の給排気用栓２０では、栓接続管片の雌ねじ山とリングナットの雄ねじ山との間の、より大型の７０×２閉鎖手段内に、アダプタの雌ねじ山と３／４インチ栓プラグの雄ねじ山との間の、より小型の３８×６閉鎖手段が挿入されている。
【００４８】
本発明による栓付きドラム１０の機能形式を明確に示すために、図６には、ライナ表面とドラム内壁との間の中間空気スペースを真空引きするために、シールリング７２を備えた真空ベル状体７０が給排気用栓２０に被せ嵌められている様子が示されている。真空ベル状体７０の中心には棒状の牽引工具７４が配置されており、牽引工具７４は、二重矢印により示唆されているように、上下に動かすことができるようになっている。牽引工具７４は下方において、アダプタリング２８内に固くねじ込まれた３／４インチ栓プラグ６４に突入して係止されている。リングナット４８が緩められるかまたはねじり出されると、牽引工具７４を介して栓プラグ６４はアダプタリング２８と共に容易に持ち上げられ、その結果、アダプタリング２８のフランジリング４６に設けられたシール６０が、栓接続管片２０のシール台座３８から少しだけ持ち上がって環状ギャップ７６を解放し、不都合な中間空気は、ライナ２２とドラム内壁との間の中間空気スペースから環状ギャップ７６を通じて完全に排出される。この過程が終了してから、真空を継続して維持するためにリングナット４８がねじ込まれて固く締め付けられる。これによりアダプタリング２８は、下側のシールリング６０と共に栓接続管片２０のシール台座３８に不動に押し付けられることになる。その後、２インチ栓接続管片２０にさらに、充填者および排出者に対して３／４インチ栓プラグ６４への自由なアクセスを許可する、中心貫通開口５４を備えた位置固定キャップ５２が被せ嵌められる。位置固定キャップ５２は、真空の損失を伴うリングナット４８の不慮の緩みまたはねじり出しを防止する。位置固定キャップ５２もしくは２インチ栓接続管片２０上にはさらに、慣用の薄いプラスチックスナップ蓋が、汚れおよび雨水から保護するためにスナップ嵌めされていてよい。
【００４９】
本発明では、ライナ２２は形状適合されて全面的に第２の外被のように、栓付きドラム１０の内側表面に載着されている。このような第２の外被のライナの主要な利点は、フィルムバッグが、充填時のばたつきまたは搬送移動時の液状の充填物の往復打寄せに対する従来の高度な引裂強さをそれほど必要としない、という点にある。それというのも、この場合はライナ２２のフィルム材料が栓付きドラム１０の内面に永続的に固定されて当て付けられているか、もしくは再度取外し可能に接着されているため、ライナ２２のフィルム材料は全く動かされないからである。これにより、従来よりも廉価な、高い遮断特性を備えた亀裂の生じやすいフィルム材料も使用され得る。
【００５０】
結論：
本発明は、栓付きドラムの複雑な新規構造を成すものではなく、ライナを備えた規格栓付きドラムにおいて特異な形式で、一方ではライナ挿入直後のライナとドラム内壁との間の不都合な中間空気の真空引き、および他方では充填時のドラム内部からの排気または充填物取出し時のドラム内部への給気を、同一の栓接続管片により行うことができる、ということを可能にするものである。この構成は、２つの２インチ栓を備えた、市場に普及している周知の栓付きドラムタイプに関して構想されたものであるため、新規に製造された栓付きドラムだけでなく、このタイプの、市販されている全ての中古の栓付きドラムにも新規のライナを備え付けて、再利用可能にすることができる。
【符号の説明】
【００５１】
１０  プラスチック栓付きドラム
１２  円筒形のドラム壁（１０）
１４  ディスク形の下底部
１６  ディスク形の上底部
１８  充填兼排出用栓接続管片（１０）
２０  給排気用栓接続管片（１０）
２２  ライナ（フィルムバッグ）
２４  充填兼排出用ライナ接続管片（２２）
２６  給排気用ライナ接続管片（２２）
２８  アダプタリング（２６）
３０  円筒形のライナ壁（２２）
３２  ディスク形のライナ上底部（２２）
３４  ディスク形のライナ下底部（２２）
３６  ライナロール（２２）
３８  シール台座（１８）
４０  接続管片ネック（１８）
４２  溶接台・内面（４０）
４４  ２インチ栓プラグ（１８）
４６  フランジリング（２８）
４８  リングナット
５０  貫通開口（４８）
５２  位置固定キャップ
５４  貫通開口（５２）
５６  雌ねじ山（２８）
５８  シール台座（５６）
６０  シールリング（４６）
６２  雄ねじ山（４８）
６４  ３／４インチ栓プラグ
６６  シールリング（６４）
６８  貫通開口（２８）
７０  真空ベル状体
７２  シールリング（７０）
７４  牽引工具（７０）
７６  環状ギャップ
【図１】
2019529271.tif 000002
【図２】
2019529271.tif 000003
【図３】
2019529271.tif 000004
【図４】
2019529271.tif 000005
【図５】
2019529271.tif 000006
【図６】
2019529271.tif 000007
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
薄肉のプラスチックフィルムから成るライナ（２２）が挿入された、熱可塑性プラスチックから成る栓付きドラム（１０）であって、円筒形のドラム壁（１２）と、ディスク形の下底部（１４）と、ディスク形の上底部（１６）とを有しており、該上底部（１６）には、閉鎖栓により閉鎖可能な２つの栓接続管片（１８，２０）が配置されており、一方の前記栓接続管片は充填兼排出用栓接続管片（１８）として形成されており、かつ他方の前記栓接続管片は給排気用栓接続管片（２０）として形成されており、前記充填兼排出用栓接続管片（１８）および前記給排気用栓接続管片（２０）内にはそれぞれ、前記ライナ（２２）の対応する充填兼排出用ライナ接続管片（２４）および給排気用ライナ接続管片（２６）が取り付けられており、前記給排気用栓接続管片（２０）のための前記閉鎖栓は、複数部分から形成されておりかつ少なくとも下側のアダプタリング（２８）と上側のキャップナットまたはリングナット（４８）とを有しており、前記アダプタリング（２８）および前記キャップナットまたはリングナット（４８）にはそれぞれ中心貫通開口（５０，６８）が設けられており、さらに、前記アダプタリング（２８）の前記中心貫通開口（６８）内にねじこまれた中心の栓プラグ（６４）を有しており、前記アダプタリング（２８）は、前記ライナ（２２）の前記給排気用栓接続管片（２６）の上端部に固く溶接されておりかつねじ嵌められた前記リングナット（４８）によりフランジリング（４６）を介して、当該栓付きドラム（１０）の前記給排気用栓接続管片（２０）内に固定されている、栓付きドラム（１０）において、
‐２つの栓接続管片（１８，２０）は、同じ大きさの規格化された２インチ栓接続管片として、雌ねじ山（ＢＣＳ７０×６閉鎖手段）と、その下に位置するシール台座（３８）とを備えて形成されており、
‐前記充填兼排出用栓接続管片（１８）のための前記閉鎖栓は、市販の規格化された２インチ栓プラグとして、雄ねじ山（ＢＣＳ７０×６閉鎖手段）と、その下に位置する、前記充填兼排出用栓接続管片（１８）に設けられた前記シール台座（３８）に対してシールするシールリングとを備えて形成されており、
‐前記充填兼排気用栓接続管片（１８）は、前記雌ねじ山の下側の、接続管片ネック（４０）において最も狭い貫通箇所に、平滑化された環状面の溶接台内面（４２）を有しており、該溶接台内面（４２）には、前記ライナ（２２）の前記充填兼排出用ライナ接続管片（２４）の上端部が固く溶接されており、
‐前記アダプタリング（２８）の前記中心貫通開口（６８）内にねじ込まれた前記栓プラグは、市販の規格化された３／４インチ栓プラグ（６４）として、雄ねじ山と、その下に位置するシールリング（６６）とを備えて形成されており、
‐ねじ嵌められた前記リングナット（４８）により上方から係合される、前記アダプタリング（２８）の前記フランジリング（４６）は、その下面の外縁に環状のシールリング（６０）を有しており、前記給排気用栓接続管片（２０）に設けられた前記雌ねじ山の下側の前記シール台座（３８）に対してドラム内部をシールしている
ことを特徴とする、栓付きドラム（１０）。
【請求項２】
ねじ嵌められた前記リングナット（４８）は、上方からスナップ嵌めまたは緊締された位置固定キャップ（５２）により被覆されており、該位置固定キャップ（５２）もやはり中心貫通開口（５４）を備えており、この中心貫通開口を通じて、前記アダプタリング（２８）の中心にねじ込まれた３／４インチ栓プラグ（６４）に自由にアクセスすることができるようになっている、請求項１記載の栓付きドラム（１０）。
【請求項３】
前記アダプタフランジリング（４６）の下面の外縁に設けられた環状のシールリング（６０）は、ライナ表面とドラム内壁との間の中間空気スペースを、前記給排気用栓接続管片(２０)内で前記雌ねじ山の下側に配置された前記シール台座（３８）に対してシールしている、請求項１または２記載の栓付きドラム（１０）。
【請求項４】
前記リングナット（４８）が緩められたもしくはねじり出された場合に、前記フランジリング（４６）の下面に前記環状のシールリング（６０）を備える前記アダプタリング（２８）は、固くねじ込まれた中心の前記３／４インチ栓プラグ（６４）と共に、真空ベル状体（７０）を貫通して案内された牽引工具（７４）により上方に向かって持上げ可能に形成されており、前記シールリング（６０）と前記シール台座（３８）との間に環状ギャップ（７６）が形成されると、該環状ギャップ（７６）を通じて、前記真空ベル状体（７０）に接続された真空ポンプにより、ライナ表面とドラム内壁との間の前記中間空気スペースを真空引きすることができるようになっている、請求項１、２または３記載の栓付きドラム（１０）。
【請求項５】
真空引きが行われた後で、前記ライナ表面がほぼ完全にもしくは全面的に前記ドラム内壁に当て付けられると、前記アダプタリング（２８）は、固くねじ込まれた中心の前記３／４インチ栓プラグ（６４）と共に、前記真空ベル状体（７０）を貫通して案内された前記牽引工具（７４）により下方に向かって案内可能に形成されており、かつ前記アダプタフランジリング（４６）の下面の前記環状のシールリング（６０）は、前記給排気用栓接続管片（２０）において前記雌ねじ山の下側に配置された前記シール台座（３８）に固くかつ気密に押付け可能に形成されており、次いで上方から固くねじ嵌められた前記リングナット（４８）により永続的に、気密な位置に固定されている、請求項１、２、３または４記載の栓付きドラム（１０）。
【請求項６】
真空引きが行われた後に、前記ライナ表面がほぼ全面的に前記ドラム内壁の内側表面に当て付けられると、充填側の前記２インチ栓プラグ（４４）がねじ外されかつ排気側の前記３／４インチ栓プラグ（６４）がねじ外された状態で、高温空気がドラム内部、つまり前記ライナ（２２）の内部に、特に前記ドラム壁および前記上底部の上部領域に吹き込まれ、これにより、前記ライナフィルムの熱活性化が生ぜしめられて、前記ライナ（２２）の外側表面が前記ドラム壁の内側表面に接着され易くなる、請求項１、２、３、４または５記載の栓付きドラム（１０）。
【請求項７】
前記ライナ（２２）の内部への高温空気の吹込みは、高められた圧力において改善された接着作用を得るために行われている、請求項６記載の栓付きドラム（１０）。
【請求項８】
‐前記リングナット（４８）が固くねじ込まれている状態において、反対側に位置する前記充填兼排出用栓接続管片（１８）を通じて、自動充填設備において圧力充填管を介して液状の充填物を当該栓付きドラム（１０）に充填するためおよび自動排出設備において負圧吸引管を介して液状の充填物を取り出すために‐中心に配置された前記３／４インチ栓プラグ（６４）に、前記中心貫通開口（５４）を備えた前記位置固定キャップ（５２）を介して自由にアクセスすることができるようになっており、かつ前記３／４インチ栓プラグ（６４）は、ねじ締結工具を用いて手で、またはねじ締結自動装置により自動的にねじ外し可能にかつ再ねじ込み可能に形成されている、請求項１から７までの少なくとも１項記載の栓付きドラム（１０）。
【請求項９】
請求項１から８までの少なくとも１項記載の栓付きドラムに挿入するためのライナ（２２）において、
円筒形のライナ壁（３０）と、ディスク形の下底部（３４）と、ディスク形の上底部（３２）とが設けられており、該上底部（３２）には２つのライナ接続管片（２４，２６）が配置されており、一方の前記ライナ接続管片は、他方の前記ライナ接続管片よりも大きな直径を有しておりかつ充填兼排出用接続管片（２４）として用いられ、かつ他方のライナ接続管片（２６）は、当該ライナおよび前記栓付きドラム（１０）における液状の充填物の充填もしくは排出時に給排気用に用いられ、より小さな直径を有する前記ライナ接続管片（２６）の上端部は、アダプタリング（２８）に固く溶接されており、該アダプタリング（２８）は、半径方向に張り出したフランジリング（４６）を有しており、該フランジリング（４６）の下面には環状のシールリング（６０）が配置されているもしくは取り付けられている
ことを特徴とする、ライナ（２２）。
【請求項１０】
前記ライナ接続管片（２４，２６）は内側から、半径方向内向きの溶接フランジ縁部でもって前記ライナ上底部（３２）のライナ壁に溶接されて、内側から外側に向かって折り返され、これにより、存在する全てのフィルム切断縁部が充填物に接触しないように覆われることになり、前記フィルム切断縁部は‐溶接された前記ライナ接続管片（２４，２６）の前記溶接フランジ縁部においても、ライナ壁に形成された貫通開口の内側画定部においても‐充填された液状の充填物と接触することは一切ない、請求項９記載のライナ（２２）。
【請求項１１】
溶接された前記ライナ接続管片（２４，２６）は、前記ライナ壁（３０，３２，３４）と同じ多層のフィルム構造を有している、請求項９または１０記載のライナ（２２）。
【請求項１２】
より大きな直径を有する前記ライナ接続管片（２４）は、前記栓付きドラム（１０）への挿入前は、少なくともその直径の２倍の長さを有しており、その自由端部は溶接されている、または気密に閉じられている、請求項９、１０または１１記載のライナ（２２）。
【請求項１３】
より大きな直径を有する前記ライナ接続管片（２４）は、前記栓付きドラム（１０）への挿入後に適当な長さに切断され、充填兼排出用栓接続管片（１８）の雌ねじ山の直下で、接続管片ネック（４０）に形成された溶接台内面（４２）に、半径方向において溶接されている、請求項９から１２までの少なくとも１項記載のライナ（２２）。
【請求項１４】
請求項９から１３までのいずれか１項記載のライナ（２２）を備えた、請求項１から８までのいずれか１項記載の栓付きドラム（１０）を製造する方法において、以下の方法ステップ、すなわち：
‐７０×６閉鎖手段を備えた２つの２インチ栓接続管片と、７０×６閉鎖手段用の市販の２インチ栓プラグ（４４）と、７０×６閉鎖手段用の市販の３／４インチ栓プラグ（６４）とを備えた、市販の規格栓付きドラム（１０）を用意し、前記２インチ栓プラグ（４４）を備えた一方の前記２インチ栓接続管片を、液状の充填物用の充填兼排出用栓（１８）として用い、かつ他方の前記２インチ栓接続管片を、前記ライナ（２２）の内部の充填容積用および前記ライナ（２２）の外側表面とドラム内壁との間の中間空気スペース用の給排気用栓（２０）として用いるステップ、
‐異なる大きさの２つのライナ接続管片（２４，２６）を備えたライナ（２２）であって、７０×６閉鎖手段を備えた前記２インチ栓接続管片用に設けられかつ溶接された自由端部を備えてやや長く形成された、より大きなライナ接続管片と、これに対してより短くやや小さなライナ接続管片であって、該ライナ接続管片の端部に、下側のシールリング（６０）を備えた中空のスリーブ状のアダプタリング（２８）が溶接されているライナ接続管片とを備えたライナ（２２）を用意するステップ、
‐前記ライナ（２２）を巻いて、溶接された前記アダプタリング（２８）が上部に配置された細長いロール（３６）を形成するステップ、
‐前記給排気用栓（２０）を介して前記細長いロール（３６）を挿入し、中心貫通開口（５０）と、前記給排気用栓（２０）の前記２インチ栓接続管片における前記７０×６閉鎖手段用の雄ねじ山とを備えるリングナット（４８）であって、前記アダプタリング（２８）を包囲するリングナット（４８）により前記アダプタリング（２８）を固定し、該アダプタリング（２８）が前記下側のシールリング（６０）でもって前記２インチ栓接続管片（２０）内で、前記ライナ（２２）の外側表面と前記ドラム内壁との間の前記中間空気スペースをシールするステップ、
‐前記給排気用栓（２０）内へ圧縮空気を、前記ライナ（２２）が完全に膨らまされ、かつ溶接されたより大きな方の前記ライナ接続管片（２４）が反対側に位置する前記充填兼排出用栓（１８）から姿を見せるまで、吹き込むステップ、
‐より大きな方の前記ライナ接続管片（２４）の溶接された自由端部を切り取り、該ライナ接続管片を外側に向かって前記栓付きドラム（１０）の前記２インチ栓接続管片（１８）に被せるように折り返すステップ、
‐前記２インチ栓接続管片（１８）の前記雌ねじ山の下側で前記ライナ接続管片（２４）を半径方向において溶接し、かつ前記雌ねじ山の下側の溶接環状面（４２）の上側の余分なかつ／または突出した前記ライナ接続管片（２４）を正確に適合するように切り取るステップ、
‐前記給排気用栓（２０）に真空ベル状体（７０）を被せ嵌め、前記リングナット（４８）が緩められ前記アダプタリング（２８）が持ち上がった状態で、前記真空ベル状体（７０）に接続された負圧ポンプにより、前記ライナ（２２）の外側表面と前記ドラム内壁との間の前記中間空気スペースから全ての空気を吸い出し、前記ライナ（２２）の外側表面が前記ドラム内壁に全面的に当て付けられるまで真空引きするステップ、
‐前記リングナット（４８）を締め付けて、前記２インチ栓接続管片（２０）内で前記アダプタリング（２８）を下側の前記シールリング（６０）と共に押し付けることにより、前記ライナと前記ドラム内壁との間の真空を永続的に維持するステップ、
‐前記充填兼排出用栓の前記２インチ栓接続管片（１８）内に前記２インチ栓プラグ（４４）をねじ込み、かつ雌ねじ山（５６）を備えたスリーブ状の前記アダプタリング（２８）内に前記３／４インチ栓プラグ（６４）をねじ込むステップ
を特徴とする、方法。
【請求項１５】
真空の損失を伴う前記リングナット（４８）の不慮の緩みまたはねじり出しを防ぐために、前記２インチ栓接続管片（２０）には、保護被覆するための、中心貫通開口（５４）を備えた位置固定キャップ（５２）が被せ嵌められる、請求項１４記載の方法。
【請求項１６】
前記給排気用栓接続管片（２０）を介して真空引きする間に、反対側に位置する前記充填兼排出用栓接続管片（１８）を介して圧縮空気が前記ライナ（２２）の内部へ吹き込まれ、これにより、前記ライナ（２２）のライナフィルムが前記栓付きドラム（１０）の内壁に全面的に押し当てられると共に、全ての中間スペース空気が押し出される、請求項１４記載の方法。
【請求項１７】
吹き込まれる前記圧縮空気は、高温空気であって、ライナフィルムを熱活性化させるために吹き込まれ、その結果、前記ライナフィルムの外面は接着作用を発揮して、前記栓付きドラム（１０）の内壁に付着しかつ／または再剥離可能に貼り付くことになる、請求項１４、１５または１６記載の方法。
【請求項１８】
前記ドラム内部から前記ライナ（２２）を取り出すために、前記リングナット（４８）が緩められて前記アダプタリング（２８）が持ち上がった状態で、前記アダプタシールリング（６０）と前記栓接続管片シール台座（３８）との間の環状ギャップを通して、ライナ表面とドラム内壁との間の前記中間空気スペース内に圧縮空気が吹き込まれ、これにより、前記ドラム内壁に付着しかつ／または貼り付いている前記ライナ表面が剥離する、請求項１４、１５、１６または１７記載の方法。
【請求項１９】
前記充填兼排出用栓接続管片（１８）を通して前記ライナ（２２）の内部で、該ライナが前記ドラム内壁から完全に剥離されるまで真空引きが行われる、請求項１４から１８までのいずれか１項記載の方法。
【請求項２０】
前記充填兼排出用栓接続管片（１８）に溶接された前記ライナ接続管片（２４）は、まず前記溶接環状面（４２）の直下で切り取られ、前記栓接続管片（１８）から少しだけ引き出されて密閉され、その後、前記ライナ（２２）全体が前記アダプタリング（２８）と共に、反対側に位置する前記給排気用栓（２０）を通してドラム内部から引き出される、請求項１４から１９までのいずれか１項記載の方法。
【国際調査報告】
2019529271.tif 000008
2019529271.tif 000009
2019529271.tif 000010
2019529271.tif 000011